【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
一つ又は複数の第１の微細構造（１０）を有するセキュリティエレメント（１）であって、
前記第１の微細構造（１０）は、少なくとも所定のセクションにおいて湾曲した一つ又は複数の軌道（２，２ａ〜２ｕ）あるいは少なくとも所定のセクションにおいて湾曲した軌道（２，２ａ〜２ｕ）の一つ又は複数のセクションにそれぞれ設けられ、及び／又は、少なくとも所定のセクションにおいて湾曲した一つ又は複数の軌道（２，２ａ〜２ｕ）あるいは少なくとも所定のセクションにおいて湾曲した軌道（２，２ａ〜２ｕ）の一つ又は複数のセクションに沿ってそれぞれ延在している、ことを特徴とするセキュリティエレメント（１）。
【請求項２】
前記第１の微細構造（１０）は、光学的に可変の情報の第１の項目を提供し、特に一つ又は複数の３Ｄ効果及び／又はムーブメント効果を生じさせ、好ましくは無彩色又は単色の３Ｄ効果及び／又はムーブメント効果を生じさせ、
特に、前記光学的に可変の情報の第１の項目は、複数のイメージ点（３ａ〜３ｕ）からなる一つ又は複数のイメージエレメント（３，３’〜３ＩＸ）を有し、
前記イメージ点（３ａ〜３ｕ）は、前記軌道（２，２ａ〜２ｕ）の異なる軌道に設けられるか、又は、前記軌道（２，２ａ〜２ｕ）の異なる軌道に沿って延在する第１の微細構造（１０）により設けられ、かつ／又は、
光学的に可変の情報の第１の項目は、複数のイメージ点（３ａ〜３ｕ）からなる一つ又は複数のイメージエレメント（３，３’〜３ＩＸ）を有し、
イメージ点（３ａ〜３ｕ）の各々は、前記第１の微細構造（１０）のうち割り当てられた第１の微細構造により設けられ、
割り当てられた第１の微細構造（１０）の各々は、前記一つ又は複数の軌道（２，２ａ〜２ｕ）の割り当てられた軌道（２，２ａ〜２ｕ）に設けられるか、あるいは前記一つ又は複数の軌道（２，２ａ〜２ｕ）の割り当てられた軌道（２，２ａ〜２ｕ）に沿ってそれぞれ延在し、
特に、前記一つ又は複数の軌道（２，２ａ〜２ｕ）の異なる１つの軌道がイメージ点（３ａ〜３ｕ）の各々に割り当てられ、
好ましくは、前記セキュリティエレメント（１）が傾斜及び／又は折曲及び／又は回転中に少なくとも１つの光源、さらに好ましくは少なくとも１つの点光源により照射されると、一つ又は複数のイメージ点（３ａ〜３ｕ）が割り当てられた軌道（２，２ａ〜２ｕ）に沿って移動し、
特に好ましくは、前記セキュリティエレメント（１）の傾斜及び／又は回転中における一定の角速度で前記軌道（２，２ａ〜２ｕ）に沿った前記イメージ点（３ａ〜３ｕ）の移動速度は、互いに異なり、かつ及び／又は互いに異なる移動速度曲線を有する、ことを特徴とする請求項１に記載のセキュリティエレメント（１）。
【請求項３】
前記第１の微細構造（１０）は、前記セキュリティエレメント（１）が傾斜及び／又は折曲及び／又は回転したときに第１の光学的効果として、ムーブメント効果、モーフィング効果及び／又は反転効果を生じさせる一連のイメージエレメント（３，３’〜３ＩＸ）を生じさせ、かつ／又は、
前記第１の微細構造（１０）は、前記セキュリティエレメント（１）が傾斜及び／又は折曲及び／又は回転したときに第１の光学的効果として、３Ｄムーブメント効果、３Ｄモーフィング効果及び／又は３Ｄ反転効果を生じさせる一連のイメージエレメント（３，３’〜３ＩＸ）を生じさせ、
特に、一連のイメージエレメント（３，３’〜３ＩＸ）は、前記セキュリティエレメント（１）が傾斜及び／又は折曲及び／又は回転したときの前記軌道（２，２ａ〜２ｕ）に沿ったイメージ点（３ａ〜３ｕ）の移動により生じる、ことを特徴とする請求項１又は２に記載のセキュリティエレメント（１）。
【請求項４】
前記一つ又は複数の軌道（２，２ａ〜２ｕ）は、各々の場合、円弧形及び／又は円形の軌道として形成され、
特に一つ又は複数のイメージエレメント（３，３’〜３ＩＸ）の少なくとも２つのイメージエレメントは、前記一つ又は複数のイメージエレメント（３，３’〜３ＩＸ）の前記少なくとも２つのイメージエレメントが、好ましくは各々の割り当てられた円形軌道上の同じ位置に配置されないように、好ましくは前記少なくとも２つのイメージエレメント（３，３’〜３ＩＸ）が各々の割り当てられた円形軌道の反対側に位置するように、配置及び／又は配列され、
特に、前記円形軌道の一つ又は複数の中心点（Ｍ，４ａ〜４ｊ，４ｋ，４ｑ）は、ランダム又は擬似ランダムに配置され、
好ましくは、円形軌道の一つ又は複数の中心点（Ｍ，４ａ〜４ｊ，４ｋ，４ｑ）の２つ以上の中心点は同一位置を有し、
好ましくは、特に少なくとも７５％、好ましくは少なくとも９０％、特に好ましくは全ての円形軌道の前記中心点（Ｍ，４ａ〜４ｊ，４ｋ，４ｑ）は、最大の円形軌道の半径の１０％以下、好ましくは半径の５％以下である最大距離を互いの間に有し、及び／又は
好ましくは、特にほとんど、好ましくは全ての円形軌道の前記中心点（Ｍ，４ａ〜４ｊ，４ｋ，４ｑ）は、３ｍｍ以下、さらに好ましくは１ｍｍ以下、特に好ましくは０．５ｍｍ以下である最大距離を互いの間に有する、ことを特徴とする請求項１〜３のいずれかに記載のセキュリティエレメント（１）。
【請求項５】
前記一つ又は複数の軌道（２，２ａ〜２ｕ）は、楕円軌道としてそれぞれ形成されており、かつ／又は、
前記一つ又は複数の軌道（２，２ａ〜２ｕ）は、閉軌道及び／又は開軌道としてそれぞれ形成されている、ことを特徴とする請求項１〜４のいずれかに記載のセキュリティエレメント（１）。
【請求項６】
前記一つ又は複数の軌道（２，２ａ〜２ｕ）の幅は、各々の軌道の進行方向に応じて変化し、特に少なくとも所定のセクションにおいて各々の軌道の進行方向に沿って連続又は不連続に変化し、
前記各々の軌道（２，２ａ〜２ｕ）の幅は、前記各々の軌道の長手方向縁部間の距離によって決まる、ことを特徴とする請求項１〜５のいずれかに記載のセキュリティエレメント（１）。
【請求項７】
前記一つ又は複数の軌道（２，２ａ〜２ｕ）の半径（Ｒｆ〜Ｒｐ）及び／又は曲率及び／又は曲率半径は、各々の軌道の進行方向に応じて変化し、特に、少なくとも所定のセクションにおいて前記各々の軌道の進行方向に沿って連続又は不連続に変化する、ことを特徴とする請求項１〜６のいずれかに記載のセキュリティエレメント（１）。
【請求項８】
前記一つ又は複数の軌道（２，２ａ〜２ｕ）の幅は、各々の軌道の１つの半径又は複数の半径（Ｒｆ〜Ｒｐ）よりも小さく、及び／又は、各々の軌道の曲率半径よりも小さく、かつ／又は、
前記一つ又は複数の軌道（２，２ａ〜２ｕ）の幅は、３μｍ〜３００μｍ、好ましくは１０μｍ〜１００μｍである、ことを特徴とする請求項１〜７のいずれかに記載のセキュリティエレメント（１）。
【請求項９】
前記一つ又は複数の軌道（２，２ａ〜２ｕ）、特に全ての軌道の曲率は、前記軌道の進行方向全体に亘って符号が変わらず、かつ／又は、
前記一つ又は複数の軌道（２，２ａ〜２ｕ）、特に全ての軌道の曲率は、０．０２ｍｍ−１〜２ｍｍ−１、好ましくは０．１ｍｍ−１〜１ｍｍ−１である、ことを特徴とする請求項１〜８のいずれかに記載のセキュリティエレメント（１）。
【請求項１０】
前記一つ又は複数の軌道（２，２ａ〜２ｕ）、特に全ての軌道、さらに好ましくは全ての円形及び／又は楕円軌道は互いに異なる曲率進行を有する、ことを特徴とする請求項１〜９のいずれかに記載のセキュリティエレメント（１）。
【請求項１１】
２つ以上の軌道、特に全ての軌道、さらに好ましくは全ての円形及び／又は楕円軌道の曲率進行は同一である、ことを特徴とする請求項１〜１０のいずれかに記載のセキュリティエレメント（１）。
【請求項１２】
前記セキュリティエレメント（１）は、光学情報の第２の項目、特に光学的に可変の情報の第２の項目を生じさせる一つ又は複数の第２の微細構造（２０）を有する、ことを特徴とする請求項１〜１１のいずれかに記載のセキュリティエレメント（１）。
【請求項１３】
前記一つ又は複数の第１の微細構造（１０）は、複数の第１の微細構造エレメント（１００）を有し、一つ又は複数の第２の微細構造（２０）は、複数の第２の微細構造エレメント（２００）を有し、
特に前記第１又は第２の微細構造エレメントは、前記第１又は第２の微細構造エレメントの間隔、レリーフ深さ、レリーフ形状、前記第１又は第２の微細構造エレメントの長手方向の向きのパラメータによりそれぞれ特徴づけられ、
特に、第１又は第２の微細構造（１０，２０）の一つ又は複数の第１又は第２の微細構造エレメント（１００，２００）は、特にマイクロミラーを形成する少なくとも１つの第１又は第２のファセット面を有し、
好ましくは、一つ又は複数の第１のファセット面及び／又は一つ又は複数の第２のファセット面は、１０μｍ２〜５０００μｍ２、特に２５μｍ２〜９００μｍ２の最小表面積を有し、かつ／又は、
一つ又は複数の第１のファセット面及び／又は一つ又は複数の第２のファセット面は、前記セキュリティエレメント（１）の表面法線に対して１°〜４５°、特に１°〜２０°の傾斜角を有し、かつ／又は、
一つ又は複数の第１のファセット面及び／又は一つ又は複数の第２のファセット面は、平滑な表面あるいは凸状又は凹状に湾曲した表面を有し、かつ／又は、
一つ又は複数の第１及び／又は第２のファセット面は、少なくとも１つの、特に無彩色の三次元表現のレリーフイメージを表し、
前記第１又は第２のファセット面の傾斜角は、好ましくは、１°〜４５°、特に１°〜２０°であり、及び／又は、好ましくは、前記一つ又は複数の第１又は第２のファセット面の周期及び／又は傾斜は、一つ又は複数の横方向寸法に沿って連続的にそれぞれ変化する、ことを特徴とする請求項１〜１２のいずれかに記載のセキュリティエレメント（１）。
【請求項１４】
前記一つ又は複数の軌道（２，２ａ〜２ｕ）の少なくとも部分的領域において、前記第１の微細構造（１０）の一つ又は複数の第１の微細構造エレメント（１００）の局所的な向き、前記第１の微細構造（１０）の一つ又は複数の第１のファセットの局所的な好ましい方向及び／又は局所的な傾斜角は、特に前記軌道（２，２ａ〜２ｕ）の長手方向縁部の１つ又は前記軌道（２，２ａ〜２ｕ）の重心線により決まる、前記軌道（２，２ａ〜２ｕ）の局所的な曲率に対応し、かつ／又は、
前記一つ又は複数の軌道（２，２ａ〜２ｕ）の少なくとも部分的領域において、前記第１の微細構造（１０）の一つ又は複数の第１の微細構造エレメント（１００）の局所的な向き、前記第１の微細構造（１０）の一つ又は複数の第１のファセットの局所的な好ましい方向及び／又は局所的な傾斜角は、前記軌道（２，２ａ〜２ｕ）の局所的な曲率と０°〜３０°以下の範囲で異なっており、
前記局所的な曲率は、特に前記軌道（２，２ａ〜２ｕ）の長手方向縁部の１つ又は前記軌道（２，２ａ〜２ｕ）の重心線により決まり、かつ／又は、
前記一つ又は複数の軌道（２，２ａ〜２ｕ）の少なくとも部分的領域において、前記第１の微細構造（１０）の一つ又は複数の第１の微細構造エレメント（１００）の局所的な向き、前記第１の微細構造（１０）の一つ又は複数の第１のファセットの局所的な好ましい方向及び／又は局所的な傾斜角は、所定の偏差角度＋／−３０°の範囲で前記軌道（２，２ａ〜２ｕ）の局所的な曲率と異なり、
前記局所的な曲率は、特に前記軌道（２，２ａ〜２ｕ）の長手方向縁部の１つ又は前記軌道（２，２ａ〜２ｕ）の重心線により決まり、かつ／又は、
前記一つ又は複数の軌道（２，２ａ〜２ｕ）の少なくとも部分的領域において、前記第１の微細構造（１０）の一つ又は複数の第１の微細構造エレメント（１００）の局所的な向き、前記第１の微細構造（１０）の一つ又は複数の第１のファセットの局所的な好ましい方向及び／又は局所的な傾斜角は、前記軌道（２，２ａ〜２ｕ）の局所的な曲率に対して、−４５°〜＋４５°、好ましくは−３０°〜＋３０°、さらに好ましくは−１５°〜＋１５°の角度を有し、
前記局所的な曲率は、特に前記軌道（２，２ａ〜２ｕ）の長手方向縁部の１つ又は前記軌道（２，２ａ〜２ｕ）の重心線により決まり、かつ／又は、
前記一つ又は複数の軌道（２，２ａ〜２ｕ）の少なくとも部分的領域において、前記第１の微細構造（１０）の一つ又は複数の第１の微細構造エレメント（１００）の長手方向の範囲及び／又は好ましい方向は、前記セキュリティエレメントの表面法線に垂直に広がる平面に対して、前記軌道（２，２ａ〜２ｕ）に平行及び／又は直交して延び、特に前記軌道（２，２ａ〜２ｕ）の重心線又は前記軌道（２，２ａ〜２ｕ）の長手方向縁部の１つに平行及び／又は直交して延びており、
特に、前記部分的領域は、前記軌道（２，２ａ〜２ｕ）の長さ及び／又は表面積の少なくとも５０％、特に好ましくは前記軌道（２，２ａ〜２ｕ）の長さ及び／又は表面積の少なくとも７０％、特に好ましくは前記軌道（２，２ａ〜２ｕ）の長さ及び／又は表面積の少なくとも８５％である、ことを特徴とする請求項１〜１３のいずれかに記載のセキュリティエレメント（１）。
【請求項１５】
前記一つ又は複数の軌道（２，２ａ〜２ｕ）及び／又は前記一つ又は複数の第１の微細構造（１０）は、一つ又は複数の交差領域（１１）において１回又は複数回交差し、
特に、交差領域（１１）において交差する前記軌道（２，２ａ〜２ｕ）の前記一つ又は複数の第１の微細構造（１０）が排他的に一つ又は複数の交差領域（１１）に設けられ、
好ましくは、一つ又は複数の交差領域（１１）において、交差する軌道（２，２ａ〜２ｕ）の前記一つ又は複数の第１の微細構造（１０）が一次元又は二次元の格子に設けられ、当該格子の幅は、特に１０μｍ〜３００μｍであり、
特に好ましくは、一つ又は複数の交差領域（１１）の領域における前記一つ又は複数の軌道（２，２ａ〜２ｕ）の外側に、一つ又は複数の表面領域（１５）が設けられ、当該表面領域には、前記交差領域において交差する前記軌道（２，２ａ〜２ｕ）の１つの前記第１の微細構造（１０）が設けられ、
特に前記一つ又は複数の表面領域は、前記交差領域（１１）から１５０μｍ未満、好ましくは５０μｍ未満に配置される、ことを特徴とする請求項１〜１４のいずれかに記載のセキュリティエレメント（１）。
【請求項１６】
前記一つ又は複数の軌道（２，２ａ〜２ｕ）は、前記第１の微細構造（１０）が設けられていない一つ又は複数の中断部（１２）を有し、
前記中断部（１２）は、前記一つ又は複数の軌道（２，２ａ〜２ｕ）の表面積及び／又は長さの好ましくは０％〜３０％、さらに好ましくは１％〜１０％であり、
特に、前記一つ又は複数の中断部（１２）は、前記一つ又は複数の軌道（２，２ａ〜２ｕ）の一つ又は複数の交差領域（１１）に配置されており、
好ましくは、前記一つ又は複数の中断部（１２）は、前記一つ又は複数の軌道（２，２ａ〜２ｕ）の一つ又は複数の交差領域（１１）の外側に配置され、
特に好ましくは、前記一つ又は複数の中断部（１２）は、好ましくは、ランダム及び／又は擬似ランダムに分配され、特に、前記軌道（２，２ａ〜２ｕ）の一つ又は複数の接線ベクトルに平行及び／又は垂直にランダム及び／又は擬似ランダムに分配される、ことを特徴とする請求項１〜１５のいずれかに記載のセキュリティエレメント（１）。
【請求項１７】
前記一つ又は複数の軌道（２，２ａ〜２ｕ）及び／又は前記一つ又は複数の第１の微細構造（１０）は、一つ又は複数のオフセット（１３）をそれぞれ有し、
特に、前記一つ又は複数のオフセット（１３）の横方向寸法は、前記軌道（２，２ａ〜２ｕ）の幅より小さく、
好ましくは、前記一つ又は複数のオフセット（１３）は、ランダム及び／又は擬似ランダムにそれぞれ分配され、特に、前記軌道（２，２ａ〜２ｕ）の一つ又は複数の接線ベクトルに平行及び／又は垂直にランダム及び／又は擬似ランダムにそれぞれ分配される、ことを特徴とする請求項１〜１６のいずれかに記載のセキュリティエレメント（１）。
【請求項１８】
第２の微細構造（２０）は、前記軌道（２，２ａ〜２ｕ）に重ならない表面領域に設けられ、かつ／又は、
第２の微細構造（２０）は、特に３００μｍより小さい幅を有する縞状にそれぞれ形成され、互いに離間した２つ以上の部分的領域からなる表面領域に設けられ、かつ／又は、
第２の微細構造（２０）は、特に３００μｍより小さい幅を有する縞状にそれぞれ形成され、互いに離間した２つ以上の部分的領域からなる表面領域に設けられ、
一つ又は複数の部分的領域は、少なくとも所定の領域において、前記一つ又は複数の軌道（２，２ａ〜２ｕ）の割り当てられた中断領域と重なる、ことを特徴とする請求項１〜１７のいずれかに記載のセキュリティエレメント（１）。
【手続補正２】
【補正対象書類名】明細書
【補正対象項目名】００４１
【補正方法】変更
【補正の内容】
【００４１】
また、さらに、一つ又は複数の軌道の幅は、各軌道の進行方向に応じてそれぞれ変化してもよい。前記幅は、好ましくは、少なくとも所定のセクションにおいて各軌道の進行方向に沿って連続又は不連続に変化する。各軌道の幅は、好ましくは、各軌道の長手方向縁部の間の距離によって定まる。
【手続補正３】
【補正対象書類名】明細書
【補正対象項目名】０１６１
【補正方法】変更
【補正の内容】
【０１６１】
図２ａは、幅Ｂ及び半径Ｒを有する曲線軌道２のセグメントを含むセキュリティエレメント１の細部を示している。曲線軌道は、特に、図１ａ〜１ｅに示す軌道２ａ〜２ｅの１つとし得る。
【手続補正４】
【補正対象書類名】明細書
【補正対象項目名】０１８７
【補正方法】変更
【補正の内容】
【０１８７】
図５は、第１の微細構造１００ａ，１００ｂ，１００ｃを含む３つの曲線軌道２ａ，２ｂ，２ｃを有するセキュリティエレメント１を示している。軌道２ｂ及び軌道２ｃは、特に交差領域１２４において交差している。さらに、軌道２ｂは、中断部１２２を有する。第１の微細構造１００ｂは、中断部１２２には設けられていない。交差領域１２４に微細構造１００ｂの中断部が存在する。さらに、軌道２ｃは、中断部１２１，１２３を有する。この中断部には、軌道２ｃの第１の微細構造１００ｃが設けられていない。